(57)【特許請求の範囲】
【請求項１】
階段壁の屈曲した端面に装着される笠木の取付構造であって、
前記階段壁の端面の屈曲部に所定の隙間が形成されるように、その屈曲部を挟んで前記階段壁の端面にそれぞれ固定される２枚の笠木と、
前記笠木の全幅にわたって、２枚の前記笠木の対向する端部を覆う、外側に突出するように湾曲したカバー部を有する第１コーナ部材と、
前記階段壁の端面の屈曲部から外方に伸び出して前記第１コーナ部材をそのカバー部の内側で支持する支持部と、この支持部を前記階段壁の端面の屈曲部を基点として揺動可能に前記笠木の端面または前記階段壁の端面に固定する固定部とを有する支持部材と、
前記支持部材に支持された前記第１コーナ部材を含めて、２枚の前記笠木の対向する端部を側方から覆うように、前記第１コーナ部材に固着される第２コーナ部材とから構成される笠木の取付構造。
【請求項２】
前記支持部材の前記固定部を、支持軸を介して開閉自在に連結された一対の固定板によって形成すると共に、前記支持部材の前記支持部を、前記両固定板の間に前記支持軸を介して揺動自在に支持された支持板によって形成し、
前記両固定板を、前記階段壁の端面の屈曲部を挟んで前記階段壁の端面にそれぞれ固定するようにした請求項１に記載の笠木の取付構造。
【請求項３】
前記第１コーナ部材は、そのカバー部が軟質材料によって形成されている請求項１または２に記載の笠木の取付構造。
【発明の詳細な説明】
【０００１】
【発明の属する技術分野】
この発明は、階段壁等の屈曲した端面に装着される笠木の取付構造に関する。
【０００２】
【従来の技術】
例えば、図１０（ａ）に示すように、廊下側Ａと階段側Ｂとは、階段壁５１によって仕切られる場合があり、このような階段壁５１の端面には、デザイン上の観点から、また、手摺として機能させるために、階段壁５１の厚みより僅かに幅広の笠木５２が取り付けられている。
【０００３】
このような階段壁５１は、通常、階段の傾斜角度に合わせるように、その上端面を傾斜させているので、階段壁５１の端面は９０度以外の角度をもって屈曲することになり、その屈曲した端面に沿って笠木５２を取り付けるために、例えば、同図（ｂ）に示すように、階段壁５１の正面の立ち上がり部分に取り付けられる笠木５２ａと、階段壁５１の傾斜した上端面に取り付けられる笠木５２ｂとは、それぞれの端部を所定の角度に切断することで、双方の笠木５２ａ、５２ｂの切断面を相互に密接させるようにして両者を接合している。
【０００４】
【発明が解決しようとする課題】
ところで、階段の傾斜角度は常に一定であるというわけではなく、階段の設置スペース等によって変化するので、工場において端部を予め所定の角度に切断した笠木材を現場に出荷するというわけにはいかず、施工現場においてそれぞれの階段の傾斜角度に合わせて現場作業員が笠木材を所定角度に切断するといった加工を行わなければならない。
【０００５】
しかしながら、上述したような笠木材の切断角度が微妙にずれた場合は、笠木５２の接合部分に隙間や段差が生じ、外観を損ねるといった問題が発生するので、笠木材の加工は精度良く行う必要があり、現場における笠木材の加工は手間のかかる作業となっていた。
【０００６】
また、一般に使用される笠木材は、木質板によって形成される基材の表面に突板や表面化粧シートを貼着したものも多く、こういった笠木材を切断すると、その切断部分において、突板が破断したり、表面化粧シートが基材から剥離したりする場合があり、そのような場合は、新たな笠木材を再度加工し直す必要があるので、作業効率が低下すると共に材料の無駄が発生するといった問題がある。また、笠木５２ａ、５２ｂの接合部分αは、同図（ｂ）に示すように、角張っているため、施工後、年月が経過するうちに、その部分から表面化粧シート等が剥離するといった問題もある。
【０００７】
そこで、この発明の課題は、笠木材に手間のかかる加工を施すことなく、簡単かつ体裁良く、笠木を階段壁に取り付けることのできる笠木の取付構造を提供することにある。
【０００８】
【課題を解決するための手段及びその効果】
上記の課題を解決するため、この発明は、階段壁の屈曲した端面に装着される笠木の取付構造であって、前記階段壁の端面の屈曲部に所定の隙間が形成されるように、その屈曲部を挟んで前記階段壁の端面にそれぞれ固定される２枚の笠木と、前記笠木の全幅にわたって、２枚の前記笠木の対向する端部を覆う、外側に突出するように湾曲したカバー部を有する第１コーナ部材と、前記階段壁の端面の屈曲部から外方に伸び出して前記第１コーナ部材をそのカバー部の内側で支持する支持部と、この支持部を前記階段壁の端面の屈曲部を基点として揺動可能に前記笠木の端面または前記階段壁の端面に固定する固定部とを有する支持部材と、前記支持部材に支持された前記第１コーナ部材を含めて、２枚の前記笠木の対向する端部を側方から覆うように、前記第１コーナ部材に固着される第２コーナ部材とから構成される笠木の取付構造を提供するものである。
【０００９】
以上のように構成された笠木の取付構造では、階段壁の端面の屈曲部において隣接する２枚の笠木の端部を完全に密接させるのではなく、屈曲部にある程度の隙間が形成されるように双方の笠木を階段壁に取り付け、その屈曲部を第１コーナ部材及び第２コーナ部材によって覆うことで笠木の端部が露出しないようにしたため、階段壁の端面の屈曲部を挟んで隣接する２枚の笠木の端部同士が完全に密接するように、階段の傾斜角度に合わせて笠木材を切断するといった面倒な加工を行う必要がなく、簡単かつ体裁良く笠木を階段壁に取り付けることができる。
【００１０】
また、第１コーナ部材を支持する支持部を揺動させることによって、第１コーナ部材を階段壁の端面の屈曲部の中心位置に簡単に配置することができるので、階段の傾斜角度がある程度変化した場合でも、第１コーナ部材が屈曲部の片側に位置ずれすることがなく、屈曲部を挟んで隣接する双方の笠木の端部を第１コーナ部材によって確実に覆うことができる。従って、汎用性に富んだ笠木の取付構造であるといえる。
【００１１】
また、階段壁の屈曲部を挟んで隣接する双方の笠木の端部が第１コーナ部材及び第２コーナ部材によって隠蔽されるので、笠木材を切断した際に、その切断部分において突板が多少破断したり、表面化粧シートが多少剥離したとしても、そのような笠木をそのまま使用することができ、現場作業員の加工ミスによる笠木材の無駄や再加工を行う手間を省くことができる。
【００１２】
さらに、屈曲部を挟んで隣接する双方の笠木の端部が第１コーナ部材及び第２コーナ部材によって隠蔽されているので、年月が経過するうちに、笠木の端部から表面化粧シート等が剥離するといったこともなく、長期間にわたって施工直後の美しい仕上りを維持することができる。
【００１３】
また、請求項２に記載の笠木の取付構造のように、前記支持部材の前記固定部を、支持軸を介して開閉自在に連結された一対の固定板によって形成すると共に、前記支持部材の前記支持部を、前記両固定板の間に前記支持軸を介して揺動自在に支持された支持板によって形成し、前記両固定板を、前記階段壁の端面の屈曲部を挟んで前記階段壁の端面にそれぞれ固定するようにしておくと、支持板の基端部を確実に階段壁の端面の屈曲部に位置決めすることができると共に、固定板の表面をスライドさせながら笠木を支持板の基端部に双方から当接させることにより、双方の笠木を階段壁の端面の屈曲部に対して対称位置に確実に位置決めすることができるので、笠木の取付精度が向上するといった効果がある。
【００１４】
また、請求項３に記載の笠木の取付構造のように、前記第１コーナ部材のカバー部を軟質材料によって形成しておくと、笠木の表面に沿うように第１コーナ部材が変形するので、笠木表面に対する第１コーナ部材の密着性が向上すると共に、柔らかい触感が得られるといった効果がある。
【００１５】
【発明の実施の形態】
以下、実施の形態について図面を参照して説明する。図１及び図２に示すように、廊下Ａ側と階段Ｂ側との間には、階段Ｂを構成する各踏板ｂの一端側を支持する階段壁１０が設けられており、この階段壁１０は、図２（ｂ）に示すように、階段Ｂの正面手前において人間の腰の高さ位置あたりまで垂直に立ち上がる垂直端面１１と、この垂直端面１１の上端から階段Ｂの前方に向かって階段Ｂの傾斜角度に合わせて上方に傾斜する傾斜端面１２とからなる屈曲した端面を有している。
【００１６】
前記階段壁１０の垂直端面１１及び傾斜端面１２には、図１及び図２に示すように、階段壁１０の厚みより僅かに幅広の笠木２１、２２がそれぞれ取り付けられており、階段壁１０の端面の屈曲部に位置する両笠木２１、２２の接合部分には、図３（ａ）、（ｂ）に示す合成樹脂製の第１コーナ部材３１と、図４（ａ）、（ｂ）に示す合成樹脂製の第２コーナ部材３４と、図５（ａ）、（ｂ）に示す金属製の支持部材３５とから構成されるコーナ部材３０が取り付けられている。
【００１７】
前記第１コーナ部材３１は、図２（ａ）、（ｃ）、図３（ａ）、（ｂ）及び図６に示すように、階段壁１０の端面の屈曲部に位置する両笠木２１、２２の接合部分をその全幅にわたって覆う、所定の肉厚を有する断面円弧状のカバー部３２と、このカバー部３２の全長にわたってその内面側の幅方向の中央部に連設された接続部３３とを備えており、この接続部３３には、後述する支持部材３５の支持板３８が嵌め込まれる嵌合溝３３ａがカバー部３２の全長にわたって形成されていると共に、第１コーナ部材３１の両端面には、前記接続部３３の基端部に、後述する第２コーナ部材３４を装着するための装着孔３３ｂがそれぞれ形成されている。また、前記カバー部３２はエラストマ等の軟質合成樹脂によって形成されていると共に、前記接続部３３は硬質合成樹脂によって形成されている。
【００１８】
前記第２コーナ部材３４は、図２、図４（ａ）、（ｂ）及び図６に示すように、外縁が前記第１コーナ部材３１のカバー部３２の外縁に略一致する円盤状のカバー部３４ａと、このカバー部３４ａに連設された、前記第１コーナ部材３１の装着孔３３ｂに挿入される軸状の装着部３４ｂとから構成されており、この装着部３４ｂに接着剤を塗布して装着孔３３ｂに挿入することで、カバー部３４ａが第１コーナ部材３１の両端面に密着した状態で固着され、図６に一点鎖線で示すように、このカバー部３４ａによって、第１コーナ部材３１の両端面と共に階段壁１０の端面の屈曲部に位置する両笠木２１、２２の接合部分の両側部が隠蔽されるようになっている。
【００１９】
前記支持部材３５は、図５（ａ）、（ｂ）及び図６に示すように、支持軸３６を介して開閉自在に連結された一対の固定板３７と、前記支持軸３６を介して両固定板３７の基端部に揺動自在に支持された支持板３８とから構成されており、図６に示すように、２枚の固定板３７を階段壁１０の垂直端面１１、傾斜端面１２にそれぞれビス止めするために、両固定板３７にはビス孔３７ａがそれぞれ形成されている。
【００２０】
以下に、上述したコーナ部材３０を用いた笠木２１、２２の取付方法について、図７を参照しながら説明する。まず、同図（ａ）に示すように、支持部材３５の両固定板３７の開き角度を調整することで階段壁１０の端面の屈曲部に沿わせ、一方の固定板３７を階段壁１０の垂直端面１１にビス止めすると共に他方の固定板３７を階段壁１０の傾斜端面１２にビス止めする。
【００２１】
次に、同図（ｂ）に示すように、垂直端面１１、傾斜端面１２上をスライドさせるようにして、笠木２１、２２の端面を支持部材３５の支持板３８の基端部に当接させると、階段壁１０の屈曲部を挟んで対称位置に双方の笠木２１、２２の端部が位置決めされるので、その状態で、階段壁１０の垂直端面１１及び傾斜端面１２を構成する図示しない枠材の裏面側から笠木２１、２２を階段壁１０に釘止めする。なお、笠木２１、２２の裏面側には、図６に示すように、支持部材３５の固定板３７が嵌り込む切欠部２１ａ、２２ａを予め形成しておく。
【００２２】
そして、両笠木２１、２２の間に位置している支持板３８の先端部分に接着剤を塗布し、同図（ｃ）に示すように、第１コーナ部材３１の接続部３３に形成された嵌合溝３３ａに支持板３８を嵌め込むようにして第１コーナ部材３１のカバー部３２を笠木２１、２２の表面に当接させることで、階段壁１０の端面の屈曲部に位置する両笠木２１、２２の接合部分をその全幅にわたって覆う。
【００２３】
最後に、第２コーナ部材３４の装着部３４ｂに接着剤を塗布し、この装着部３４ｂを第１コーナ部材３１の端面に形成された装着孔３３ｂに挿入することで、第２コーナ部材３４を第１コーナ部材３１の両端面に固着すると、同図（ｄ）に示すように、第２コーナ部材３４のカバー部３４ｂによって、第１コーナ部材３１の両端面と共に階段壁１０の端面の屈曲部に位置する両笠木２１、２２の接合部分の両側部が隠蔽される。
【００２４】
以上のように構成された笠木の取付構造では、階段壁１０の端面の屈曲部において隣接する２枚の笠木２１、２２の端部を完全に密接させるのではなく、屈曲部に取り付けられた支持部材３５の支持板３８を挟んで、ある程度の隙間が形成されるように双方の笠木２１、２２を階段壁１０に取り付け、両笠木２１、２２の接合部分を第１コーナ部材３１及び第２コーナ部材３４によって覆うことで笠木２１、２２の端部を隠蔽するようにしたため、階段壁１０の端面の屈曲部において、隣接する２枚の笠木２１、２２の端部同士が完全に密接するように、階段Ｂの傾斜角度に合わせて笠木材を切断するといった面倒な加工を行う必要がなくなり、簡単かつ体裁良く笠木２１、２２を階段壁１０に取り付けることができる。
【００２５】
また、第１コーナ部材３１の接続部３３に形成された嵌合溝３３ａに支持部材３５の支持板３８を嵌め込みながらカバー部３２を双方の笠木２１、２２の表面に当接させることにより、階段壁１０の屈曲部を形成する垂直端面１１と傾斜端面１２のなす角度を２等分する位置に支持板３８が自然に移動するので、階段Ｂの傾斜角度がある程度変化した場合でも、第１コーナ部材３１が階段壁１０の屈曲部の片側に位置ずれすることがなく、階段壁１０の屈曲部を挟んで隣接する双方の笠木２１、２２の端部を第１コーナ部材３１によって確実に覆うことができる。
【００２６】
また、図８（ａ）、（ｂ）に示すように、傾斜端面１２の傾斜角度βが変化した場合や、使用する笠木２１、２２の厚みＳが変化した場合でも、支持板３８の嵌合溝３３ａに対する嵌め込み量Ｌが変化することで、そういった傾斜角度βや厚みＳの変化量を十分に吸収することができるので、傾斜端面１２の傾斜角度βや使用する笠木２１、２２の厚みＳの変化量がある程度の範囲内であれば、コーナ部材３０を構成する各部品を共通化することができる。
【００２７】
また、階段壁１０の屈曲部を挟んで隣接する双方の笠木２１、２２の端部が第１コーナ部材３１及び第２コーナ部材３４によって覆われているので、笠木材を切断した際に、その切断部分において突板が多少破断したり、表面化粧シートが多少剥離したとしても、そのような笠木をそのまま使用することができ、現場作業員の加工ミスによる笠木材の無駄や再加工を行う手間を省くことができる。
【００２８】
さらに、階段壁１０の屈曲部を挟んで隣接する双方の笠木２１、２２の端部が第１コーナ部材３１及び第２コーナ部材３４によって隠蔽されているので、年月が経過するうちに、笠木２１、２２の端部から表面化粧シート等が剥離するといったこともなく、長期間にわたって施工直後の美しい仕上りを維持することができる。
【００２９】
また、上述したように、第１コーナ部材３１のカバー部３２は、エラストマ等の軟質合成樹脂によって形成されているので、第１コーナ部材３１のカバー部３２を笠木２１、２２の表面に当接させる際に、カバー部３２が笠木２１、２２の表面に沿うように変形し、笠木２１、２２の表面に対する第１コーナ部材３１の密着性が向上すると共に柔らかい触感が得られる。
【００３０】
なお、この実施形態では、図５に示すように、数ｍｍ程度の厚みを有する固定板３７や支持板３８によって支持部材３５を形成したため、図６に示すように、笠木２１、２２の裏面側に固定板３７が嵌り込む切欠部２１ａ、２２ａを形成する必要があったが、図９に示すように、厚みが０．８ｍｍ程度の薄い金属板によって固定板３７を形成しておくと、特に、笠木２１、２２の裏面側に切欠部を形成する必要はない。但し、同様の薄い金属板によって支持板３８を形成する場合は、図９に示すように、支持板３７自体を屈曲させて第１コーナ部材３１の嵌合溝３３ａに嵌り込む嵌合部３８ａを形成しておく必要がある。
【００３１】
また、この実施形態では、階段壁１０の垂直端面１１と傾斜端面１２とによって形成される屈曲部における笠木２１、２２の取付構造について説明したが、例えば、階段壁の傾斜端面と水平端面とによって形成される屈曲部の他、階段壁の端面に存在する種々の屈曲部に笠木を取り付ける場合にこの取付構造を適用することができることはいうまでもない。
【００３２】
また、この実施形態では、支持部材３５が開閉する２枚の固定板３７を備えているが、固定板３７は必ずしも２枚設ける必要はなく、いずれか一方の固定板３７を省略することも可能である。但し、固定板３７を２枚設けることによって支持部材３５を階段壁１０の屈曲部に精度良く取り付けることができることは上述したとおりである。
【００３３】
さらに、この実施形態では、支持部材３５の固定板３７を階段壁１０の端面にビス止めする構成を採用しているが、固定板３７を双方の笠木２１、２２の端面にビス止めする構成を採用することも可能である。なお、固定板３７が１枚の場合は、いずれか一方の笠木の端面にビス止めすればよい。
【図面の簡単な説明】
【図１】この発明にかかる笠木の取付構造の一実施形態を示す斜視図である。
【図２】（ａ）は同上の笠木の取付構造を示す平面図、（ｂ）は同上の笠木の取付構造を示す側面図、（ｃ）は同上の笠木の取付構造を示す正面図である。
【図３】（ａ）は同上の笠木の取付構造における第１コーナ部材の端面を示す図、（ｂ）は同上の第１コーナ部材を示す正面図である。
【図４】（ａ）は同上の笠木の取付構造における第２コーナ部材を示す側面図、（ｂ）は同上の第２コーナ部材を示す平面図である。
【図５】（ａ）は同上の笠木の取付構造における支持部材を示す平面図、（ｂ）は同上の支持部材を示す側面図である。
【図６】同上の笠木の取付構造の詳細を示す側面図である。
【図７】同上の笠木の取付構造における笠木の取付手順を説明するための説明図である。
【図８】同上の笠木の取付構造において、階段の傾斜角度や笠木の厚みが異なる場合の笠木及びコーナ部材の取付状態を示す側面図である。
【図９】支持部材の他の実施形態を示す概略側面図である。
【図１０】（ａ）は従来の笠木の取付構造を示す斜視図、（ｂ）は同上の笠木の取付構造を示す側面図である。
【符号の説明】
１０  階段壁
１１  垂直端面
１２  傾斜端面
２１、２２  笠木
３０  コーナ部材
３１  第１コーナ部材
３２  カバー部
３３  接続部
３４  第２コーナ部材
３４ａ  カバー部
３４ｂ  装着部
３５  支持部材
３６  支持軸
３７  固定板
３８  支持板
【図１】
0004053143.tif 000002
【図２】
0004053143.tif 000003
【図３】
0004053143.tif 000004
【図４】
0004053143.tif 000005
【図５】
0004053143.tif 000006
【図６】
0004053143.tif 000007
【図７】
0004053143.tif 000008
【図８】
0004053143.tif 000009
【図９】
0004053143.tif 000010
【図１０】
0004053143.tif 000011